(57)【要約】【課題】アンテナ出力端子が水平方向であっても防水キャップ内への水の侵入を防止し、防水型接栓を使用する必要のないテレビ受信用ブースタを提供する。【解決手段】テレビ受信用ブースタ３０のケース本体６１は、ダイキャストにより構成し、上面が開口している。ケース本体６１には、長手方向の両端にジャック形の入力側接栓３１とプラグ形の出力側接栓３２を装着する。この場合、ケース本体６１は、入力側接栓３１が装着される側の先端を略山形状に形成し、その一方の斜面６１ａに入力側接栓３１を装着する。ケース本体６１の先端の山形状部分の内側の角度は略９０°であり、斜面６１ａとケース本体６１の側部延長線との角度を略４５°に設定する。ケース本体６１内にはプリント基板６５を収納し、中蓋６６、防水シート６７及びパネル６９を積層して載置し、ネジ７０ａ〜７０ｃにより固定する。【選択図】      図２
2010016518.tif 000002
【特許請求の範囲】
【請求項１】
地上テレビ放送波を受信するアンテナの出力端子に直接接続されるテレビ受信用ブースタにおいて、
金属により縦長に形成されると共に長手方向の一方の端部が略山形状に形成されたケース本体と、
前記ケース本体の山形状部の一方の斜面に取付けられ、前記ケース本体の長手方向の中心軸に対して略４５°の角度に保持される入力側接栓と、
前記ケース本体の他方の端部に取付けられる出力側接栓と、
前記ケース本体内に収納され、前記入力側接栓及び出力側接栓の中心導体が接続される増幅部と、
を具備することを特徴とするテレビ受信用ブースタ。
【発明の詳細な説明】
【技術分野】
【０００１】
本発明は、アンテナに接続されて地上放送波の信号を増幅するテレビ受信用ブースタに関する。
【背景技術】
【０００２】
従来、地上テレビ放送波をアンテナで受信し、その受信信号をテレビ受像機に入力して視聴する場合、受信電界強度が低い地域では、アンテナとテレビ受像機との間にテレビ受信用ブースタを設け、アンテナ受信信号を増幅するようにしている。特にアンテナで受信した信号のレベルが低い場合、受信信号を長い同軸ケーブルを介してテレビ受信用ブースタに入力すると、同軸ケーブルにより受信信号が伝送される際に信号レベルが低下し、その結果受信信号のＣ／Ｎ比（carrier to noise ratio）が劣化してしまうという問題がある。そのためアンテナの出力端子のなるべく近くにおいて高感度（低ＮＦ（noise figure）特性）のテレビ受信用ブースタを接続することがＣ／Ｎ比の点で有利であるので、従来から一般的に行われている。特に地上デジタル放送受信においては受信電界強度が微弱で、受信信号のＣ／Ｎ比がデジタル放送テレビ受像機のチューナのスレッシュホールドレベル近傍にあるような場合、アンテナの出力端子に低ＮＦ特性のテレビ受信用ブースタを直接取付けることは、地上デジタル放送の受信状態を安定にする上で効果が高い。
【０００３】
従来の地上デジタル放送受信用アンテナでは、出力端子が水平方向に設けられているもの（例えば、特許文献１参照。）、あるいは下方向に垂直に設けられているものがある。
【０００４】
図５は、アンテナ１の背面に水平方向に設けられた出力端子１ａに対し、テレビ受信用ブースタ２を直接取付けて使用する場合の例を示したものである。アンテナ１の出力端子１ａに直接取付けて使用するタイプの従来のテレビ受信用ブースタは、円筒状に形成されたケースに増幅器を内蔵し、上記ケースの両端に入力側端子３及び出力側端子４を設けている。上記入力側端子３はアンテナ１の出力端子１ａに接続され、出力側端子４は同軸ケーブル５を介してＴＶチューナ（図示せず）等に接続される。同軸ケーブル５の端部には接栓が設けられており、この接栓がテレビ受信用ブースタ２の出力側端子４に接続されるが、同軸ケーブル５の接栓及び出力側端子４部分を覆うように防水キャップ６が設けられる（例えば、特許文献２参照。）。
【０００５】
上記のようにアンテナ１の出力端子１ａに直接取付けて使用するタイプのテレビ受信用ブースタ２では、出力端子の方向が水平・垂直両方のタイプに取付け可能に構成した場合、図５に示したように水平方向に設けられた出力端子１ａにブースタ２を直接取付けると、ブースタ２が真横を向いてしまうため、同軸ケーブル５の自重等によって防水キャップ６が引っ張られて出力側端子４との間に隙間ｄが生じ、この隙間ｄから防水キャップ６内に雨水７等が入ってしまう。このためテレビ受信用ブースタ２に接続する同軸ケーブル５の接栓は、防水タイプのもの使用しなければならなかった。
【０００６】
図６（ａ）、（ｂ）は、地上デジタル放送受信用のアンテナ１０を例えばベランダの壁面に取付けて使用する場合の例を示す平面図である。アンテナ１０は、図６（ａ）に示すように背面に設けられている取付金具１１により、ベランダ等の壁面１２に固定された略Ｌ字状の壁面用マスト１３に取付けられる。アンテナ１０の背面に出力端子が水平方向に設けられており、その出力端子にブースタ２が直接取付けられる。このブースタ２の出力側接栓に同軸ケーブル５の接栓が取付けられ、該接栓及び出力端子部分に防水キャップ６が装着される。
【０００７】
上記アンテナ１０は、取付金具１１の蝶ネジを緩めることにより、図６（ｂ）に示すように壁面用マスト１３の垂直方向に位置している軸を中心に左右に回動して受信方向を調整することが可能である。しかし、ブースタ２は、アンテナ１０の出力端子から壁面１２方向に水平方向に取付けられているため、アンテナ１０を回動して受信方向を調整する際、ブースタ出力後の同軸ケーブル５が壁面１２に当たってしまい、アンテナ１０の取付位置が限定されてしまうという問題があった。
【特許文献１】実公平１−９３３５号公報
【特許文献２】意匠登録第１２３５６７４号公報
【発明の開示】
【発明が解決しようとする課題】
【０００８】
上記したように従来のテレビ受信用ブースタ２は、出力側端子４に接続する同軸ケーブル５の接栓は、防水キャップ６内に雨水７等が侵入するので防水型接栓を使用しなければならず、通常の接栓よりも２〜３倍程度高いために価格面でユーザーの負担が大きくなっていた。
【０００９】
また、ベランダ１２の壁面１２等にアンテナ１０を取付ける場合などでは、アンテナ１０にブースタ２を取付けた際に壁面１２に接触してしまうことや、壁面１２とブースタ２が近すぎて、同軸ケーブル５を配線できないことがあった。
【００１０】
更にアンテナ１０を回動しての受信方向を調整する際、ブースタ２あるいは同軸ケーブル５が壁面１２に当接して回転しきれない場合があった。
【００１１】
本発明は上記の課題を解決するためになされたもので、アンテナの出力端子が水平あるいは垂直の何れの方向に設けられていても容易に直接取付けることができると共に、アンテナの出力端子が水平方向を設けられていてもケーブル接続部における防水キャップ内への水の侵入を防止でき、防水型接栓を不要としてコストの低下を図ることができ、且つ壁面等に取付けられるアンテナに対しても方向調整の障害とならず、同軸ケーブルの配線も容易に行うことができるテレビ受信用ブースタを提供することを目的とする。
【課題を解決するための手段】
【００１２】
本発明は、地上テレビ放送波を受信するアンテナの出力端子に直接接続されるテレビ受信用ブースタにおいて、金属により縦長に形成されると共に長手方向の一方の端部が略山形状に形成されたケース本体と、前記ケース本体の山形状部の一方の斜面に取付けられ、前記ケース本体の長手方向の中心軸に対して略４５°の角度に保持される入力側接栓と、前記ケース本体の他方の端部に取付けられる出力側接栓と、前記ケース本体内に収納され、前記入力側接栓及び出力側接栓の中心導体が接続される増幅部とを具備することを特徴とする。
【発明の効果】
【００１３】
本発明によれば、アンテナの出力端子が水平あるいは垂直の何れの方向に設けられていても、テレビ受信用ブースタを容易に直接取付けることができる。また、アンテナの出力端子が水平方向に設けられていても、アンテナ出力端子から下方略４５°の方向にテレビ受信用ブースタを取付けることができるので、ブースタの出力側接栓と同軸ケーブルの接栓部に設けられる防水キャップに引張り力が加わっても、ブースタの出力側接栓と防水キャップとの間に間隙を生じることはなく、防水キャップ内への雨水等の浸入を確実に防止することができる。このため同軸ケーブルの接栓として防水タイプのものを使用する必要がなく、コストの低下を図ることができる。
【００１４】
また、アンテナをベランダの壁面等に取付けて使用する場合においても、アンテナの出力端子に対してブースタを下方略４５°の方向に取付けることにより、ブースタの出力側接栓に接続される同軸ケーブルと壁面との間隔に余裕ができ、アンテナを回動して受信方向を調整する際に同軸ケーブルが障害となることはなく、調整範囲を拡大することができる。
【発明を実施するための最良の形態】
【００１５】
以下、図面を参照して本発明の一実施形態を説明する。
【００１６】
図１は本発明の一実施形態に係るテレビ受信用ブースタ及び電源部を含む受信系統の回路構成図である。図２は図１におけるテレビ受信用ブースタの詳細な構成を示し、（ａ）は分解斜視図、（ｂ）は組立て完了後の外観構成を示す斜視図である。
【００１７】
図１において、２０は地上放送波の信号を受信するアンテナで、その出力端子２１にテレビ受信用ブースタ３０が接続される。このブースタ３０は、電源部４０より同軸ケーブル３８を介して出力側接栓に供給される所定の直流電圧によって動作し、上記アンテナ２０で受信された信号を増幅し、上記同軸ケーブル３８及び電源部４０を介してＴＶチューナ５０へ出力する。
【００１８】
上記ブースタ３０は、プラグ構造の入力側接栓３１及びジャック構造の出力側接栓３２を備え、入力側接栓３１と出力側接栓３２との間に直流阻止用のコンデンサ３３、広帯域増幅器３４、及び直流阻止用のコンデンサ３５が直列に設けられる。そして、出力側接栓３２と増幅器３４の電源端子との間にチョークコイル３６が接続され、電源部４０から出力側接栓３２に送られてくる直流電圧がチョークコイル３６を介して増幅器３４に動作電圧として供給される。上記ブースタ３０の外観構成及び内部の配置構成については、詳細を後述する。
【００１９】
上記電源部４０は、降圧用トランス４１を備え、その１次巻線は電源コード４８及び電源プラグ４９を介して例えば１００Ｖの商用交流電源に接続され、２次巻線には整流回路４２が接続される。降圧用トランス４１の２次巻線からは所定レベルに降圧された電圧が出力され、整流回路４２で整流された後、平滑用コンデンサ４３及びチョークコイル４４により平滑される。上記チョークコイル４４の出力側は、第１の接栓４５に接続されると共に、直流電圧阻止用のコンデンサ４６を介して第２の接栓４７に接続される。
【００２０】
上記第１の接栓４５は、同軸ケーブル３８を介してブースタ３０の出力側接栓３２に接続され、第２の接栓４７はＴＶチューナ５０の信号入力端子５１に同軸ケーブル５２を介して接続される。
【００２１】
上記の構成において、電源部４０は、商用交流電源を降圧用トランス４１により所定の電圧に降圧する。この降圧された電圧は、整流回路４２で整流された後、平滑用コンデンサ４３及びチョークコイル４４で平滑され、直流電圧となって第１の接栓４５から出力される。この第１の接栓４５から出力される直流電圧は、同軸ケーブル３８を介してブースタ３０の出力側接栓３２へ送られ、チョークコイル３６を介して広帯域増幅器３４に動作電圧として供給される。
【００２２】
ブースタ３０は、電源部４０から供給される直流電圧によって動作し、アンテナ２０の出力端子２１から出力される地上デジタル放送の受信信号を広帯域増幅器３４で増幅し、出力側接栓３２から直流電源に重畳して同軸ケーブル３８に出力する。ブースタ３０から同軸ケーブル３８に出力されたアンテナ受信信号は、電源部４０の第１の接栓４５に入力され、コンデンサ４６を介して第２の接栓４７から出力され、同軸ケーブル５２を介してＴＶチューナ５０の信号入力端子５１に入力される。
【００２３】
次に上記ブースタ３０の具体的な構成について図２を参照して説明する。
【００２４】
図２において、６１はブースタ３０のケース本体で、金属例えばアルミダイキャストなどで縦長形状例えば略直方体状に形成され、上面が開口している。ケース本体６１には、長手方向の両端にジャック形の入力側接栓３１とプラグ形の出力側接栓３２が装着される。この場合、ケース本体６１は、入力側接栓３１が装着される側の先端を略山形状に形成し、その一方の斜面６１ａに入力側接栓３１を装着する。上記ケース本体６１の先端に形成された山形状部分の内側の角度は略９０°であり、斜面６１ａとケース本体６１の長手方向の中心軸との角度が略４５°に設定される。
【００２５】
上記入力側接栓３１は、中心導体３１１が円筒状の絶縁体３１２の中心軸に沿って保持され、この絶縁体３１２が中心導体３１１と共に外導体内に内側方向から圧入されて保持される。上記中心導体３１１は、内側先端すなわちケース本体６１内に位置する先端が略９０°折り曲げられる。
【００２６】
また、出力側接栓３２は、中心導体３２１が円筒状に形成された第１の絶縁体３２２及び第２の絶縁体３２３の中軸に沿って保持され、外導体内に外側方向から圧入されて保持される。上記第１の絶縁体３２２及び第２の絶縁体３２３は、組み合わされて中心導体３２１を保持する。
【００２７】
上記ケース本体６１は、上面開口部の内側が外側より少し低く形成されて蓋保持部６２が設けられる。この蓋保持部６２には、例えば入力側接栓３１側に１つ、出力側接栓３２側に２つのネジ穴６３が設けられる。
【００２８】
また、ケース本体６１の内側底部には、両側部に沿って複数例えば６個の基板保持用のボス６４がケース本体６１と一体に設けられ、上記ボス６４の上端にプリント基板６５が装着される。このプリント基板６５には、図１に示したようにコンデンサ３３、広帯域増幅器３４、コンデンサ３５及びチョークコイル３６等の電子部品が実装されると共に、所定の回路配線が施され、この回路配線に上記入力側接栓３１の中心導体３１１及び出力側接栓３２の中心導体３２１が半田付けされて接続される。
【００２９】
上記ケース本体６１の蓋保持部６２には、金属製の中蓋６６、防水シート６７及びパネル６９が積層して載置される。この場合、中蓋６６は、蓋保持部６２に形成されたネジ穴６３を覆わないように小さく形成される。防水シート６７には上記ネジ穴６３に対応する位置にネジ挿通穴６８ａ〜６８ｃが設けられ、パネル６９には上記ネジ穴６３に対応する位置にネジ挿通穴６９ａ〜６９ｃが設けられる。
【００３０】
そして、上記パネル６９のネジ挿通穴６９ａ〜６９ｃに上部よりネジ７０ａ〜７０ｃを挿入してケース本体６１のネジ穴６３に螺着し、ケース本体６１の上部開口部に中蓋６６、防水シート６７及びパネル６９を固定する。
【００３１】
次に上記ブースタ３０をアンテナに取付けて使用する場合の具体的な取付け例について説明する。
【００３２】
図３は、上記のように構成されたブースタ３０をアンテナに直接取付けて使用する場合の具体例を示し、（ａ）は室内アンテナへの取付け例を示す背面側斜視図、（ｂ）は室外アンテナへの取付け例を示す背面側斜視図である。
【００３３】
なお、図３では、室内アンテナと室外アンテナに兼用できる地上デジタル放送受信用アンテナ７１にブースタ３０を取付ける場合の例を示している。
【００３４】
上記アンテナ７１は、ケース内にアンテナ素子を内蔵しており、ケース背面部に出力端子７２が設けられていると共に、ケース背面中央部に金具取付部７３が設けられている。上記アンテナ７１は、図３（ａ）に示すように金具取付部７３に室内用保持台７４を取付けた場合は室内用アンテナとして使用でき、図３（ｂ）に示すように金具取付部７３にポール取付金具７５を取付けた場合は室外アンテナとして使用することができる。なお、室外アンテナの場合は、ポール取付金具７５によりアンテナポール７６に取付けて使用する
図３（ａ）に示すようにアンテナ７１を室内アンテナとして使用した場合、出力端子７２に対してブースタ３０の入力側接栓３１を装着する際、ブースタ３０が水平となるように取付ける。このときブースタ３０は、出力端子７２に対して略４５°の角度、例えば出力端子７２からアンテナ７１の中央方向に向かって略４５°の角度で位置させる。上記ブースタ３０の出力側接栓３２には、同軸ケーブル３８の接栓３９が取付けられる。
【００３５】
また、図３（ｂ）に示すようにアンテナ７１を室外アンテナとして使用した場合には、出力端子７２に対してブースタ３０が下方略４５°の方向に向くように入力側接栓３１を取付ける。また、ブースタ３０の出力側接栓３２に同軸ケーブル３８の接栓３９を取付ける際、ブースタ３０の出力側接栓３２と同軸ケーブル３８の接栓３９の部分に防水キャップ７７を装着する。
【００３６】
上記のように室外アンテナに対してブースタ３０を取付ける場合、出力端子７２から下方略４５°の方向にブースタ３０を取付けることにより、ブースタ３０の出力側接栓３２と防水キャップ７７との間に間隙を生じることはなく、防水キャップ７７内への雨水等の浸入を確実に防止することができる。このため同軸ケーブル３８の接栓３９として防水タイプのものを使用する必要がなく、コストの低下を図ることができる。
【００３７】
また、上記アンテナ７１を図６に示したようにベランダの壁面に取付けて使用する場合においても、アンテナ７１の出力端子７２に対してブースタ３０を下方略４５°の方向に取付けることにより、ブースタ３０の出力側接栓３２に接続される同軸ケーブル３８と壁面との間隔に余裕ができ、アンテナ７１を回動して受信方向を調整する場合に同軸ケーブル３８が壁面に当たることはなく、調整範囲を拡大することができる。
【００３８】
図４は、八木式のＵＨＦアンテナ８０にブースタ３０を取付けた場合の例を示す斜視図である。ＵＨＦアンテナ８０は、取付金具８１によりアンテナポール８２に取付けられる。そして、放射素子８３に設けられている給電部８４の出力端子に対し、ブースタ３０を下方略４５°の方向に取付ける。ブースタ３０の出力側接栓に同軸ケーブル３８の接栓を取付ける際、ブースタ３０の出力側接栓と同軸ケーブル３８の接栓の部分に防水キャップ７７を装着する。
【００３９】
上記のように給電部８４の出力端子に対し、ブースタ３０を下方略４５°の方向に取付けることにより、ブースタ３０の出力側接栓と防水キャップ７７との間に間隙を生じることはなく、防水キャップ７７内への雨水等の浸入を確実に防止することができる。このため同軸ケーブル３８の接栓として防水タイプのものを使用する必要がなく、コストの低下を図ることができる。
【００４０】
なお、上記実施形態では、水平方向に設けられているアンテナの出力端子に対してテレビ受信用ブースタ３０を取付ける場合について説明したが、アンテナの出力端子が下方向に垂直に設けられている場合であっても、アンテナの出力端子に対して下方略４５°の方向にブースタ３０を取付けることができる。従って、上記実施形態の場合と同様にブースタ３０の出力側接栓３２と防水キャップ７７との間に間隙を生じることはなく、防水キャップ７７内への雨水等の浸入を確実に防止でき、同軸ケーブル３８の接栓３９として防水タイプのものを使用する必要がなく、コストの低下を図ることができる。
【００４１】
また、本発明は、上記実施形態そのままに限定されるものではなく、実施段階ではその要旨を逸脱しない範囲で構成要素を変形して具体化できるものである。
【図面の簡単な説明】
【００４２】
【図１】本発明の一実施形態に係るテレビ受信用ブースタ及び電源部を含む受信系統の回路構成図である。
【図２】同実施形態におけるテレビ受信用ブースタの詳細な構成を示し、（ａ）は分解斜視図、（ｂ）は組立て完了後の外観構成を示す斜視図である。
【図３】同実施形態に係るテレビ受信用ブースタをアンテナに直接取付けた場合の具体例を示し、（ａ）は室内アンテナへの取付け例を示す背面側斜視図、（ｂ）は室外アンテナへの取付け例を示す背面側斜視図である。
【図４】同実施形態に係るテレビ受信用ブースタを八木式のＵＨＦアンテナに直接取付けた場合の具体例を示す斜視図である。
【図５】アンテナの出力端子に従来のテレビ受信用ブースタを直接取付けて使用する場合の状態を示す側面図である。
【図６】ベランダの壁面等に取付けられたアンテナに従来のテレビ受信用ブースタを直接取付けて使用する場合の具体例を示す平面図である。
【符号の説明】
【００４３】
２０…アンテナ、２１…出力端子、３０…テレビ受信用ブースタ、３１…入力側接栓、３１１…中心導体、３１２…絶縁体、３２１…中心導体、３２２…第１の絶縁体、３２３…第２の絶縁体、３２…出力側接栓、３３…コンデンサ、３４…広帯域増幅器、３５…コンデンサ、３６…チョークコイル、３８…同軸ケーブル、３９…接栓、４０…電源部、４１…降圧用トランス、４２…整流回路、４３…平滑用コンデンサ、４４…チョークコイル、４５…第１の接栓、４６…コンデンサ、４７…第２の接栓、４８…電源コード、４９…電源プラグ、５０…ＴＶチューナ、５１…信号入力端子、５２…同軸ケーブル、６１…ケース本体、６１ａ…斜面、６２…蓋保持部、６３…ネジ穴、６４…ボス、６５…プリント基板、６６…中蓋、６７…防水シート、６８ａ〜６８ｃ…ネジ挿通穴、６９…パネル、６９ａ〜６９ｃ…ネジ挿通穴、７０ａ〜７０ｃ…ネジ、７１…地上デジタル放送受信用アンテナ、７２…出力端子、７３…金具取付部、７４…室内用保持台、７５…ポール取付金具、７６…アンテナポール、７７…防水キャップ、８０…ＵＨＦアンテナ、８１…取付金具、８２…アンテナポール、８３…放射素子、８４…給電部。
【図１】
2010016518.tif 000003
【図２】
2010016518.tif 000004
【図３】
2010016518.tif 000005
【図４】
2010016518.tif 000006
【図５】
2010016518.tif 000007
【図６】
2010016518.tif 000008